(57)【要約】【課題】全ての映像機器機能を１台のリモコンで操る複合映像機器において、本体のモードを本体側で切り替えた際、リモコンの操作モードが自動的に本体の映像機器モードにマッチするように切り替わる仕組みを、できるだけコストをかけずに構築する。【解決手段】複合映像機器１の本体１０は複数の映像機器の機能を備えるものであり、リモコン３０で無線操作される。本体１０は、映像機器モードの切り替えが本体１０の側において行われた場合、モード切替後最初にリモコン３０の操作が行われたとき、テレビ２の画面に信号を表示する。その信号をリモコン３０が受信部４２で受信し、自身の操作モードを本体１の映像機器モードに一致させる。信号は白画面と黒画面の組み合わせにより構成される。【選択図】図２
2007235710.tif 000002
【特許請求の範囲】
【請求項１】
複数の映像機器の機能を備え、各映像機器のモードで画面に映像を表示する本体と、この本体に対し無線信号で操作を行うリモコンとを備えた複合映像機器において、
前記本体は、映像機器モードの切替が本体の側において行われたとき、前記画面に信号を表示させる制御部を備え、
前記リモコンは、前記信号を受信する受信部と、その信号を受けて自身の操作モードを前記本体側の映像機器モードに一致させる制御部とを備え、
前記画面における信号表示は、前記本体における映像機器モードの切替後、最初のリモコン操作時に行われ、
前記信号は、白画面と黒画面の組み合わせにより構成されることを特徴とする複合映像機器。
【請求項２】
複数の映像機器の機能を備え、各映像機器のモードで画面に映像を表示する本体と、この本体に対し無線信号で操作を行うリモコンとを備えた複合映像機器において、
前記本体は、映像機器モードの切替が本体の側において行われたとき、前記画面に信号を表示させる制御部を備え、
前記リモコンは、前記信号を受信する受信部と、その信号を受けて自身の操作モードを前記本体側の映像機器機能に一致させる制御部とを備えることを特徴とする複合映像機器。
【請求項３】
前記画面における信号表示は、前記本体における映像機器モードの切替後、最初のリモコン操作時に行われることを特徴とする請求項２に記載の複合映像機器。
【請求項４】
前記信号は、白画面と黒画面の組み合わせにより構成されることを特徴とする請求又は３に記載の複合映像機器。
【発明の詳細な説明】
【技術分野】
【０００１】
本発明は複合映像機器に関する。複合映像機器とは、ＨＤレコーダ、ＤＶＤレコーダ、ビデオテープレコーダ（ＶＣＲ）のような映像機器の機能を複数組み合わせたものである。
【背景技術】
【０００２】
近年、家庭や職場における映像鑑賞手段の発達と普及には目覚ましいものがある。映像を表示するモニター装置としては、従来より主流を占めるテレビジョン受像機（以下「テレビ」と略称する）に加えて、テレビチューナ付パーソナルコンピュータや、プロジェクタなども広く用いられるようになっている。映像提供手段でも、テレビ放送（ケーブルテレビネットワークを含む）をはじめとして、セルビデオ、セルＤＶＤ、レンタルビデオ、レンタルＤＶＤなどのパッケージコンテンツ、ＨＤレコーダ、ＤＶＤレコーダ、ＶＣＲなどを利用して録画した映像、また通信回線を通じて入手する映像など、きわめて多様化している。
【０００３】
多様な映像提供手段より映像を得ようと思えば、必然的に他種類の映像機器を備えねばならないことになる。しかしながらテレビ置台の中の空間に映像機器を設置する場合、当然のことながら空間の大きさには限りがあるので、あまり多くの種類の映像機器を置くことはできない。この問題を克服するため、ＨＤレコーダ、ＤＶＤレコーダ、ＶＣＲといった複数の映像機器の機能を１台のセットにまとめた複合映像機器が開発され、市販されている。
【０００４】
複合映像機器の例を特許文献１に示す。特許文献１にはＤＶＤレコーダとＶＣＲを複合した複合映像機器が記載されている。
【特許文献１】特開２００５−３２８１７４号公報（［００２２］、図１）
【発明の開示】
【発明が解決しようとする課題】
【０００５】
映像機器にはリモートコントローラ（以下「リモコン」と略称する）がつきものである。特許文献１記載の複合映像機器であれば、ＤＶＤレコーダ用とＶＣＲ用とで２台のリモコンが必要になるところである。しかしながら徒にリモコンの数が増えるのは、使用者にとっては煩わしく、メーカーにとってはコストアップとなるので、通常の場合、１台のリモコンで複合映像機器に含まれる全ての映像機器機能を操っている。特許文献１記載の複合映像機器もその例に漏れない。
【０００６】
ところが１台のリモコンで複数の映像機器機能を操る場合、次のような問題が生じる。
すなわちＤＶＤレコーダとＶＣＲの機能を備える複合映像機器の場合、本体、リモコンともＤＶＤモードで使用中という状況で、本体側の操作により本体のみＶＣＲモードに切り替えたとする。この場合、リモコンがＤＶＤモードのままであると、リモコンを操作しても本体を遠隔制御できない。このような事態に陥ると使用者は混乱をきたし、複合映像機器本体の故障かあるいはリモコンの故障を疑うことになる。
【０００７】
そこで特許文献１記載の複合映像機器では、現在どの映像機器のモードになっているかを示すモード信号を所定時間おきに本体よりＦＭ信号で送信し、そのモード信号を受信したリモコンが自らのモードを本体と同じモードに切り替えるようにして、本体とリモコとのモード不一致が起きないようにしている。しかしながらこの方式には、本体側にはモード信号をＦＭで変調してＦＭモード信号として送信する送信手段を設け、リモコン側にはモード信号受信手段を設ける必要があり、コスト高になるという問題がある。
【０００８】
本発明は上記の点に鑑みなされたものであって、全ての映像機器機能を１台のリモコンで操る複合映像機器において、本体のモードを本体側で切り替えた際、リモコンの操作モードが本体側にマッチするように自動的に切り替わる仕組みを、できるだけコストをかけずに構築できるようにすることを目的とする。
【課題を解決するための手段】
【０００９】
上記目的を達成するために、請求項１の発明は、複数の映像機器の機能を備え、各映像機器のモードで画面に映像を表示する本体と、この本体に対し無線信号で操作を行うリモコンとを備え、前記本体は、映像機器モードの切替が本体の側において行われたとき、前記画面に信号を表示させる制御部を備え、前記リモコンは、前記信号を受信する受信部と、その信号を受けて自身の操作モードを前記本体側の映像機器モードに一致させる制御部とを備え、前記画面における信号表示は、前記本体における映像機器モードの切替後、最初のリモコン操作時に行われ、前記信号は、白画面と黒画面の組み合わせにより構成される複合映像機器を提供する。
【００１０】
この構成によると、リモコンに操作モードの切替を行わせるための信号を、映像を表示する画面を通じてリモコンに受信させるものであるから、複合映像機器の本体に送信部を設ける必要がなく、その分のコストアップを見込まずに済む。また画面の方向にリモコンを向けておきさえすれば受信できるので、信号の受信が確実である。そして本体のモードが切り替わった後、何かリモコンの操作を行えばリモコンの操作モードも切り替わることになり、本体とリモコンのモード不一致を確実に回避することができる。さらに、リモコン側の受信部として明暗を検知するセンサを配置すれば事足り、受信部を容易且つ安価に構成できる。信号を出すための画面の制御も容易である。
【００１１】
請求項２の発明は、複数の映像機器の機能を備え、各映像機器のモードで画面に映像を表示する本体と、この本体に対し無線信号で操作を行うリモコンとを備え、前記本体は、映像機器モードの切替が本体の側において行われたとき、前記画面に信号を表示させる制御部を備え、前記リモコンは、前記信号を受信する受信部と、その信号を受けて自身の操作モードを前記本体側の映像機器機能に一致させる制御部とを備える複合映像機器を提供する。
【００１２】
この構成によると、リモコンに操作モードの切替を行わせるための信号を、映像を表示する画面を通じてリモコンに受信させるものであるから、複合映像機器の本体に送信部を設ける必要がなく、その分のコストアップを見込まずに済む。また画面の方向にリモコンを向けておきさえすれば受信できるので、信号の受信が確実である。
【００１３】
請求項３の発明は、請求項２の複合映像機器において、前記画面における信号表示は、前記本体における映像機器モードの切替後、最初のリモコン操作時に行われるものとする。
【００１４】
この構成によると、本体のモードが切り替わった後、何かリモコンの操作を行えばリモコンの操作モードも切り替わることになり、本体とリモコンのモード不一致を確実に回避することができる。
【００１５】
請求項４の発明は、請求項２又は３の複合映像機器において、前記信号は、白画面と黒画面の組み合わせにより構成されるものとする。
【００１６】
この構成によると、リモコン側の受信部として明暗を検知するセンサを配置すれば事足り、受信部を容易且つ安価に構成できる。信号を出すための画面の制御も容易である。
【発明の効果】
【００１７】
以上のように本発明の複合映像機器は、リモコンに操作モードの切替を行わせるための信号を、複合映像機器の本体より送信してリモコンに受信させるのでなく、映像を表示する画面に信号を表示してリモコンに受信させるものであるから、複合映像機器の本体は送信部不要であり、コストアップを招かない。また画面の方向にリモコンを向けておきさえすれば信号を受信できる。信号は本体のモードが切り替わった後、何かリモコンの操作を行ったときに表示されるから、徒に多くの信号を発することなく、少ない回数で確実にリモコンの操作モードを切り替えることができる。さらに、明暗を検知するセンサでコスト安にリモコン側の受信部を構成できるうえ、信号を出すための画面の制御も容易である。
【発明を実施するための最良の形態】
【００１８】
以下、添付図面を参照しつつ本発明の実施形態を説明する。図１は複合映像機器とそのリモコン、及びテレビを示す概略正面図、図２はブロック構成図、図３はリモコンのモード切替のフローチャート、図４は信号の例を示す図である。
【００１９】
複合映像機器１はＤＶＤレコーダの機能とＶＣＲの機能を合体したものであり、本体１０とリモコン３０を備える。本体１０の正面には、液晶パネルなどによる表示部や操作キー、ダイヤルの類を配置した操作部１１と、ＤＶＤ用のスロット１２と、ビデオテープカセット用のスロット１３が設けられている。リモコン３０の表面には液晶パネルによる表示部３１の他、プッシュキーやジョグキーにより構成される操作部３２が設けられている。複合映像機器１には映像を表示するモニター手段としてテレビ５０が接続されている。
【００２０】
本体１０の全体制御を司るのは制御部２０（図２参照）である。制御部２０にはＤＶＤレコーダの機能を備えたＤＶＤブロック２１と、ＶＣＲの機能を備えたＶＣＲブロックが接続される。ＤＶＤブロック２１とＶＣＲブロック２２は映像出力部２３を通じてテレビ５０に映像信号と音声信号を出力する。この他制御部２０には、操作部１１、リモコン３０からの制御信号を受信する受信部２４、及びリモコン３０に対する信号を生成する信号生成部２５が接続されている。信号生成部２５は映像出力部２３を通じてテレビ５０に信号を出力する。
【００２１】
リモコン３０の制御を司るのは制御部４０である。制御部４０には、表示部３１及び操作部３２の他、本体１０の受信部２４に対し無線で（一例として赤外線で）操作信号を送信する送信部４１と、テレビ５０の画面５０ａより信号を受信する受信部４２が接続されている。
【００２２】
複合映像機器１は、本体１０で操作部１１を操作するか、リモコン３０で操作部３２を操作することにより、ＤＶＤブロック２１から取り出した映像又はＶＣＲブロック２２から取り出した映像をテレビ５０の画面５０ａに表示する。
【００２３】
本体１０をＤＶＤモードからＶＣＲモードに切り替え、あるいはその逆を行うことは、リモコン３０を通じてできる。この場合リモコン３０自身もＤＶＤ操作モードからＶＣＲ操作モードへ、あるいはその逆に切り替わる。ところで、本体１０のモード切替は操作部１１を通じて行うことも可能である。この場合、本体１０がＶＣＲモードに切り替わったにも関わらずリモコン３０はＤＶＤ操作モードのままであるとか、本体１０がＤＶＤモードに切り替わったにも関わらずリモコン３０はＶＣＲ操作モードのままであるといった場合には、リモコン３０を通じて本体の操作を行うことができなくなる。従って、操作部１１で本体１０のモード切替を行った場合は、リモコン３０の操作モードも忘れずに切り替えておかねばならない。
【００２４】
本発明は、本体１０のモード切替に伴い必要となるリモコン３０の操作モード切替が、使用者が特に意識するまでもなく自動的に達成されるようにしようとするものであり、以下それを図３のフローを参照しつつ説明する。
【００２５】
ステップ＃１０１で、複合映像機器１の本体１０のモードを、操作部１１を通じての操作により切り替える。その後最初のリモコン操作をステップ＃１０２で行う。リモコン３０からの信号を受信部２４で受信した制御部２０は、リモコン３０の操作モードを本体１０のモードにマッチさせるための信号を信号生成部２５より出力させる。
【００２６】
信号生成部２５からの信号は映像出力部２３を通じてテレビ５０に伝達され、テレビ５０はその信号を画面５０ａに表示する（ステップ＃１０３）。信号は白画面と黒画面を所定パターンで組み合わせたものである。図４にその例を示す。図４においてＨとなっているときが白画面の状態であり、Ｌとなっているときが黒画面の状態である。白画面（黒画面）の回数と継続時間の組み合わせで、ＤＶＤ操作モードからＶＣＲ操作モードに切り替える信号と、その逆にＶＣＲ操作モードからＤＶＤ操作モードに切り替える信号を明確に区別して生成することができる。なお画面５０ａに信号が現れる時間は、視聴者が違和感を覚えることがないように、例えば５００ミリ秒といった極く短い時間に設定する。
【００２７】
ステップ＃１０４ではリモコン３０の受信部４２が画面５０ａより信号を受信する。それを受けて制御部４０は、リモコン３０の操作モードを本体１０のモードにマッチするよう切り替える。
【００２８】
本実施形態では、テレビ５０の画面５０ａを通じてリモコン３０が信号を受け取るので、本体１０にはリモコン３０にモード切替を行わせるための信号送信部を設ける必要がない。ソフトウェアの手直しで映像出力を修正すれば事足りるので、コストアップを招かずに済む。また画面５０ａの方向にリモコン３０を向けておきさえすれば信号を受信できるので、信号の受信が確実である。そして本体１０のモードが切り替わった後、何かリモコン３０の操作をするだけでリモコン３０の操作モードが切り替わるから、本体１０とリモコン３０のモード不一致を確実に回避することができる。さらに、リモコン側の受信部４２は明暗を検知するセンサであればよく、容易且つ安価に構成することができる。画面５０ａの制御も容易である。
【００２９】
本実施形態ではモニター手段がテレビ５０となっているが、テレビ５０に代えてテレビチューナ付パーソナルコンピュータを用いてもよく、プロジェクタを用いてもよい。テレビと複合映像機器を一体化したものを用いてもよい。また信号も、白と黒以外の色を組み合わせたものや、バーコードとして表示したものなどの使用が可能である。
【００３０】
以上本発明の実施形態につき説明したが、発明の主旨を逸脱しない範囲でさらに種々の変更を加えて実施することができる。
【産業上の利用可能性】
【００３１】
本発明は複合映像機器全般に利用可能である。
【図面の簡単な説明】
【００３２】
【図１】複合映像機器とそのリモコン、及びテレビを示す概略正面図
【図２】ブロック構成図
【図３】リモコンのモード切替のフローチャート
【図４】信号の例を示す
【符号の説明】
【００３３】
１    複合映像機器
１０  本体
２０  制御部
２３  映像出力部
２５  信号生成部
３０  リモコン
４０  制御部
４３  受信部
５０  テレビ
５０ａ  画面
【図１】
2007235710.tif 000003
【図２】
2007235710.tif 000004
【図３】
2007235710.tif 000005
【図４】
2007235710.tif 000006